(57)【要約】【解決手段】軸受ブッシュ３３は、１カ所に縦割り部５２を有し、この縦割り部５２が駆動軸１３の外径Ｄ以上に弾性変形で開くことを許容する本体５３と、この本体５３の軸線方向（矢印ａの方向）の位置決めをする駆動軸１３の外周面５１に嵌合した位置決め部材５４，５４と、からなる。【効果】縦割り部を駆動軸に干渉しない程度に開いて、駆動軸の所定位置に直接取り付けることができる。従って、軸受ブッシュの取り付けに手間かからない。位置決め部材によって軸受ブッシュを位置決め保持するから、所定位置に対して軸受ブッシュの位置は変わらない。従って、駆動源から駆動軸を介して操作杆に伝わる振動を抑制することができる。【選択図】        図３
2005016678.tif 000002
【特許請求の範囲】
【請求項１】
操作杆の一端に駆動源、他端に作業部を備え、操作杆内に駆動源の動力を作業部へ伝達するための駆動軸を挿通させるとともに、駆動軸を支承する軸受ブッシュを配設した携帯式動力作業機において、
前記軸受ブッシュは、１カ所に縦割り部を有し、この縦割り部が前記駆動軸の外径以上に弾性変形で開くことを許容する本体と、この本体の軸線方向の位置決めをする駆動軸の外周面に嵌合した位置決め部材と、からなることを特徴とする携帯式動力作業機の軸受構造。
【請求項２】
前記縦割り部は、潤滑油を溜める油溜め部を兼ねることを特徴とする請求項１記載の携帯式動力作業機の軸受構造。
【発明の詳細な説明】
【０００１】
【発明の属する技術分野】
本発明は携帯式動力作業機の軸受構造に関する。
【０００２】
【従来の技術】
携帯式動力作業機は、筒状の操作杆に駆動軸を通し、駆動軸を操作杆の一端に設けた原動機にて回転させることで、操作杆の他端に設けた作業部を回転させる形式の作業機である。このような作業機としては例えば刈払機がある。
従来の刈払機の軸受構造は、操作杆内の駆動軸を軸受ブッシュで支持した（例えば、特許文献１参照。）。
【０００３】
【特許文献１】
実開平１−７１２３８号公報  （第６頁、第４図）
【０００４】
特許文献１を、図面を参照の上、説明する。
図７（ａ），（ｂ）は従来の作業機の軸受ブッシュの説明図であり、（ａ）は特許文献１の第４図、（ｂ）は特許文献１の第１図である。
従来の軸受ブッシュ１は、中央に形成した主締め代部６と、この主締め代部６の両端に形成した副締め代部７，７とを有するものである。主締め代部６は、メインパイプ８の内径より外径を大きくすることで、締め代を付与した部位である。
【０００５】
【発明が解決しようとする課題】
上記図７に示す特許文献１の軸受ブッシュ１では、軸受ブッシュ１をメインパイプ８内に取り付ける場合、まず、メインパイプ８の端からメインパイプ８内に嵌め、続けて、軸受ブッシュ１を所定の位置に移動させるとともに所定ピッチに配置する。この作業を軸受ブッシュ１の数だけ行う。しかし、軸受ブッシュ１の主締め代部６によって嵌める際の抵抗は大きく、軸受ブッシュ１を所定ピッチに配置するのに手間がかかる。
また、軸受ブッシュ１は主締め代部６を形成したものであるが、振動によって移動する心配は払拭されず、軸受ブッシュ１のピッチが変わると、振動しやすくなる。
【０００６】
そこで、本発明の目的は、軸受ブッシュの取り付けに手間かからず、振動の抑制を図れる携帯式動力作業機の軸受構造を提供することにある。
【０００７】
【課題を解決するための手段】
上記目的を達成するために請求項１は、操作杆の一端に駆動源、他端に作業部を備え、操作杆内に駆動源の動力を作業部へ伝達するための駆動軸を挿通させるとともに、駆動軸を支承する軸受ブッシュを配設した携帯式動力作業機において、軸受ブッシュは、１カ所に縦割り部を有し、この縦割り部が駆動軸の外径以上に弾性変形で開くことを許容する本体と、この本体の軸線方向の位置決めをする駆動軸の外周面に嵌合した位置決め部材と、からなることを特徴とする。
【０００８】
縦割り部を駆動軸に干渉しない程度に開いて、駆動軸の所定位置に直接取り付けることができる。従って、軸受ブッシュの取り付けに手間かからない。
【０００９】
また、位置決め部材によって軸受ブッシュを位置決め保持するから、軸受ブッシュの位置は変わらず、所定位置を維持することができる。従って、駆動源から駆動軸を介して操作杆に伝わる振動を抑制することができる。
【００１０】
請求項２では、縦割り部は、潤滑油を溜める油溜め部を兼ねることを特徴とする。
縦割り部は、潤滑油を溜める油溜め部を兼ねるので、常に潤滑油を溜めて摺動面に供給することができる。従って、簡単な構成で潤滑性の向上を図れる。
【００１１】
【発明の実施の形態】
本発明の実施の形態を添付図に基づいて以下に説明する。なお、図面は符号の向きに見るものとする。
図１は本発明に係る軸受構造を用いた刈払機の側面図であり、刈払機１０は、パイプ状の操作杆１１の内部１２に駆動軸１３を通し、この駆動軸１３を操作杆１１の端１４に設けた駆動源１５で回転させることで、操作杆１１の先端１６に設けた刈刃１７を回転させる形式のもので、操作杆１１の長手（矢印ａの方向）の中央部２１にハンドル２２を十文字を呈するようにハンドルホルダー２３で固定したものである。２４はギヤボックス、２５はギヤボックス２４内に動力を伝える動力伝達機構を示す。
駆動源１５はエンジン又は電動モータである。刈刃１７は作業部である。
【００１２】
図２は本発明に係る軸受構造を用いた動力伝達機構の断面図である。
動力伝達機構２５は、駆動源１５に操作杆１１の一端３１を取り付け、他端３２にギヤボックス２４及び刈刃１７を取り付け、操作杆１１内に駆動源１５の動力を刈刃１７へ伝達するための駆動軸１３を挿通させるとともに、駆動軸１３を支持する軸受ブッシュ３３・・・（・・・は複数を示す。以下同じ。）を５個配置したものである。３６はクラッチ機構、３７はクラッチケース、４１はクラッチ機構３６のボス、４２は主動ベベルギヤ、４３は主動ベベルギヤ４２に噛み合う従動ベベルギヤを示す。
【００１３】
操作杆１１は、外パイプ４５と、外パイプ４５に同心な内パイプ４６と、内パイプ４６を支持するとともに周３等配に設けたステー４７・・・と、からなる二重管である。Ｄは駆動軸１３の外径を示す。
【００１４】
図３は図２の３部詳細図であり、内パイプ４６と、駆動軸１３と、軸受ブッシュ３３を示す。５１は駆動軸１３の外周面である。
軸受ブッシュ３３は、１カ所に縦割り部５２を有し、この縦割り部５２が駆動軸１３の外径Ｄ以上に弾性変形で開くことを許容する本体５３と、この本体５３の軸線方向（矢印ａの方向）の位置決めをするために駆動軸１３の外周面５１に嵌合した位置決め部材５４，５４と、からなる。
【００１５】
軸受ブッシュ３３の本体５３は、縦割り部５２を幅Ｗに成形し、外周部５６を内パイプ４６の内径よりわずかに小さく成形し、内周部５７を駆動軸１３の外径よりわずかに大きく成形し、操作杆１１及び駆動軸１３に対して相対回転可能なものである。つまり、内パイプ４６及び駆動軸１３に対して回転可能に設定した。
軸受ブッシュ３３の材質は、樹脂である。
【００１６】
位置決め部材５４は、金属製の線材をリング状に成形したリングであり、溶接で駆動軸１３に固定される。
位置決め部材５４を取り付けることで、軸受ブッシュ３３の長手（矢印ａの方向）の移動を防ぐことができる。
なお、リング自身を一体ものにするか切断部を設けるかは任意である。
【００１７】
図４は図３の４−４線断面図であり、操作杆１１は、外パイプ４５と、内パイプ４６と、内パイプ４６を支持する周３等配に設けたステー４７・・・とからなり、軸受ブッシュ３３の本体５３は、縦割り部５２を有することを示す。
縦割り部５２は、潤滑油を溜める油溜め部を兼ねる。
【００１８】
図５は本発明に係る軸受構造の配置を示す図で、軸受ブッシュ３３・・・をピッチＰで配置したことを示す。すなわち、駆動軸１３の駆動源側の端６１から距離Ｌｂの位置に軸受ブッシュ３３を配置し、ピッチＰで残りの軸受ブッシュ３３・・・を配置する。その際、位置決め部材５４の距離をＬｒ及びＳに設定する。
距離Ｓは最小に設定するのが望ましい。
【００１９】
このように、軸受ブッシュ３３・・・を配置することで、振幅が零となる複数の点を、軸受ブッシュ３３・・・によって支持することができる。従って、駆動源１５（図１参照）から駆動軸１３を介して操作杆１１に伝わる振動を抑制することができる。
【００２０】
図６（ａ）〜（ｄ）は本発明に係る軸受の取り付け要領の説明図である。
（ａ）：まず、駆動軸１３の所定位置（図５参照）に位置決め部材５４，５４を溶接で取り付ける。溶接の条件は任意であり、例えば、千鳥溶接を施す。引き続き、位置決め部材５４，５４によって設定された支持部６２に軸受ブッシュを取り付ける。
【００２１】
（ｂ）：軸受ブッシュ３３の本体５３の縦割り部５２を駆動軸１３の外径Ｄ以上に矢印▲１▼，▲１▼のように開く、
（ｃ）：縦割り部５２を開いた状態で支持部６２に被せる。
（ｄ）：縦割り部５２を閉じて軸受ブッシュ３３の取り付けは完了する。
【００２２】
このように、軸受ブッシュ３３は、１カ所に縦割り部５２を有し、この縦割り部５２が駆動軸１３の外径Ｄ以上に弾性変形で開くことを許容するので、縦割り部５２を駆動軸１３に干渉しない程度に開いて、所定位置に直接取り付けることができる。従って、軸受ブッシュの取り付けに手間かからない。
【００２３】
図５に示すように、位置決め部材５４によって軸受ブッシュ３３・・・を位置決め保持するから、軸受ブッシュ３３・・・の位置は変わらず、距離Ｌｂ並びにピッチＰを確実に維持することができる。従って、駆動源１５（図１参照）から駆動軸１３を介して操作杆１１に伝わる振動を抑制することができる。
【００２４】
図４のように、縦割り部５２は、幅Ｗに成形し、潤滑油を溜める油溜め部を兼ねるので、常に潤滑油を溜めて摺動面に供給することができる。従って、簡単な構成で潤滑性の向上を図ることができる。
【００２５】
尚、本発明の実施の形態に示した位置決め部材５４の形状は任意である。例えば、サイコロ状のボスを２個均等に取り付けることも可能であり、位置決め部材の加工が容易で、生産コストを削減することができる。
軸受ブッシュ３３を駆動軸１３に対して回転可能に取り付けたが、一体的に取り付けることも可能である。
【００２６】
軸受ブッシュ３３の厚さを一定にしたが、厚さを変化させることも可能である。例えば、縦割り部５２に対向する位置に厚さの薄い薄肉部を成形することで、薄肉部にヒンジ機能を付与し、縦割り部５２の開閉を容易にすることできる。
【００２７】
【発明の効果】
本発明は上記構成により次の効果を発揮する。
請求項１では、軸受ブッシュは、１カ所に縦割り部を有し、この縦割り部が駆動軸の外径以上に弾性変形で開くことを許容する本体と、この本体の軸線方向の位置決めをする駆動軸の外周面に嵌合した位置決め部材と、からなるので、縦割り部を駆動軸に干渉しない程度に開いて、駆動軸の所定位置に直接取り付けることができる。従って、軸受ブッシュの取り付けに手間かからない。
【００２８】
位置決め部材によって軸受ブッシュを位置決め保持するから、軸受ブッシュの位置は変わらず、所定位置を維持することができる。従って、駆動源から駆動軸を介して操作杆に伝わる振動を抑制することができる。
【００２９】
請求項２では、縦割り部は、潤滑油を溜める油溜め部を兼ねるので、常に潤滑油を溜めて摺動面に供給することができる。従って、簡単な構成で潤滑性の向上を図ることができる。
【図面の簡単な説明】
【図１】本発明に係る軸受構造を用いた刈払機の側面図
【図２】本発明に係る軸受構造を用いた動力伝達機構の断面図
【図３】図２の３部詳細図
【図４】図３の４−４線断面図
【図５】本発明に係る軸受構造の配置を示す図
【図６】本発明に係る軸受の取り付け要領の説明図
【図７】従来の作業機の軸受ブッシュの説明図
【符号の説明】
１０…携帯式動力作業機（刈払機）、１１…操作杆、１３…駆動軸、１５…駆動源、１７…作業部（刈刃）、３３…軸受ブッシュ、５１…駆動軸の外周面、５２…縦割り部、５３…本体、５４…位置決め部材、Ｄ…駆動軸の外径。
【図１】
2005016678.tif 000003
【図２】
2005016678.tif 000004
【図３】
2005016678.tif 000005
【図４】
2005016678.tif 000006
【図５】
2005016678.tif 000007
【図６】
2005016678.tif 000008
【図７】
2005016678.tif 000009